(57)【要約】【課題】一箇所で指示した電力を供給するルールを一斉に多地点に行き渡らせ、そのルールに従って電力供給の操作を自動的に行う装置を提供する。【解決手段】プラグ１は電力線に接続して、電力を入力する。コンセント２は電気機器３０を接続し電力を供給する。スイッチ３は、プラグ１とコンセント２の間を接続し、コンセント２ごとに供給する電力をオンオフする。リレー４は、スイッチ３のオンオフを切り替える。計時部６は、現在日時を表す時刻データを取得する。データ記憶部８は、コンセント２のスイッチ３をオンにする時間を定める設定データを記憶する。制御回路５は、タイマー７で決められる所定の時間ごとに、データ記憶部８から設定データを取得して、現在日時が設定データに適合する場合に、その設定データに対応するコンセント２のスイッチ３をオンにし、適合しない場合にオフにする。【選択図】図１
2010166175.tif 000002
【特許請求の範囲】
【請求項１】
電力線に接続して、電力を入力する入力部と、
電気機器を接続する１つ以上のコンセントと、
前記入力部と前記コンセントの間を接続し、前記コンセントごとに供給する電力をオンオフするスイッチと、
前記スイッチのオンオフを切り替える操作手段と、
現在日時を表す時刻データを取得する計時手段と、
コンセントのスイッチをオンにする時間を定める設定データを取得する入力手段と、
所定の時間ごとに、前記入力手段によって前記設定データを取得して、現在時刻が前記設定データに適合する場合にその設定データに対応する前記コンセントのスイッチをオンにし、適合しない場合にオフにする制御手段と、
を備えることを特徴とする電力制御装置。
【請求項２】
ネットワークを経由してサーバからデータを受信する通信手段を備え、
前記入力手段はサーバから通信手段を介して設定データを取得する
ことを特徴とする請求項１に記載の電力制御装置。
【請求項３】
前記設定データを入力するデータ入力部と、
前記設定データを記憶するデータ記憶部と、を備え、
前記制御手段は、所定の時間ごとに前記データ記憶部から前記設定データを取得する、
ことを特徴とする請求項１または２に記載の電力制御装置。
【請求項４】
コンセントから電力を供給する時間を定める設定データを、所定の時間ごとに取得する入力ステップと、
現在日時を取得する計時ステップと、
前記現在日時が前記設定データに適合する場合に、その設定データに対応する前記コンセントに接続するスイッチをオンにし、適合しない場合にオフにする制御ステップと、
を備えることを特徴とする電力制御方法。
【発明の詳細な説明】
【技術分野】
【０００１】
本発明は、ネットワークを介して多数の電源タップを制御する装置に関する。
【背景技術】
【０００２】
ＣＯ２排出削減が世界的なトレンドとなっているなか、企業や家庭の電力消費の効率化が一層求められている。２００７年１０月のマサチューセッツ工科大学の調査によると、都市では電力の３９％はビルで、３３％が工場で、２８％が輸送機関によって消費されている。ビル内の電力消費は、暖房２２％、照明１８％、空調１１％、温水１０％、その他（エレベータなど）３３％となっている。
【０００３】
電力消費を効率化するために、電源の監視および負荷への電源供給を制御する技術として、例えば特許文献１には、遠隔地より電源制御および監視する方法が記載されている。特許文献１の技術では、赤外線リモコンで制御できる負荷がある場合に、双方向通信システムによりユーザが遠隔地から負荷への電源供給を制御し、制御した結果をセンサなどの知覚情報によりユーザが確認できる。異常時には、ソフトウェア判断により負荷への電源供給量をストップすることができる。
【０００４】
特許文献２には、コンセント口に接続された複数種類の家電機器の中から目的の家電機器の電源を遠隔位置からオンオフ制御する技術が記載されている。特許文献２の技術は、家電機器がコンセント口に接続される電源タップ側では、そのコンセント口に接続されている家電機器の種類をその動作電流に対応付けして個々の家電機器のセットアップ情報として記録すると共に、電力線搬送通信により遠隔制御側に伝送する。遠隔制御側では、上記伝送を受けて家電機器の種類とその動作電流とを対応付けした情報を画面に表示する。そして、その表示画面上の動作電流と家電機器との対応付けを見て選択された家電機器の電源をオンオフ制御する情報を電力線搬送通信により上記電源タップ側に伝送する。電源タップ側では上記伝送されたオンオフ制御する家電機器が接続されているコンセント口を上記記録されたセットアップ情報に従い認識し、当該コンセント口への電源をオンオフ制御する。
【０００５】
また、特許文献３には、一酸化炭素を検出した場合に燃焼機器の動作を強制的に停止させると共に、強制的に換気扇を動作させる方法が記載されている。特許文献３の技術は、一酸化炭素の検知により自動的に燃焼器機の電源を切り、換気扇の電源を入れる操作を行う。
【０００６】
特許文献４には、消費電力量を制限したり、電力量を表示したり、タイマ制御する等の制御ができる商用電源供給タップの技術が記載されている。特許文献４の電源タップは、商用電源コンセントから電源を入力する商用電源入力部と、入力された商用電源を出力する少なくとも１つの商用電源出力部と、その電源出力部から出力される電源を制御・管理する制御管理部と、この制御管理部へ制御情報を入力可能なキーボード等のデータ入力部と、制御管理部からの情報を表示する表示部などを備える。
【０００７】
特許文献５には、熱線および中性線を有する従来のＡＣ電源と共に用いるエネルギ監視および制御システムが記載されている。エネルギ監視および制御システムは、制御ステーションおよび多数の可制御負荷を含む。制御ステーションは、ＡＣ電源の熱線に直列に結合され、物理的にＡＣ電源および負荷の間に配置されている。個々の負荷は、互いに並列に接続され、ＡＣ電源および制御ステーションに結合されている。制御ステーションは、種々の方法で負荷との通信が可能であり、好適な方式は電力線通信方法である。各負荷には、制御ステーションによって送出されたコマンドを受信し実行する回路が装備されている。制御ステーションは、負荷によって引き込まれるＡＣ供給電流を監視することによって、負荷からの情報を受信する。
【０００８】
特許文献６は、複数の負荷を複数人が相異なるそれぞれの位置で複数の負荷のうち何れの負荷でも任意にオン・オフ制御できる手動式及び遠隔制御式のスイッチングシステムに関する。手動式及び遠隔制御式のスイッチのうち何れかを操作しても負荷の電源を制御できる構成と、一つの遠隔制御器で互いに遮断された複数の部屋に設置された負荷の電源を各部屋で互いに制御できる構成及び各部屋で他の部屋の負荷を制御できないようにする防止装置も備えている。従って、互いに遮断されている複数の部屋に設置されている負荷を容易に制御できる便利なスイッチングシステムを提供する。
【先行技術文献】
【特許文献】
【０００９】
【特許文献１】特開２００３−１８９３７５号公報
【特許文献２】特開２００８−２１９９５７号公報
【特許文献３】特開平０８−１７０８４１号公報
【特許文献４】特開平０９−１１５６２３号公報
【特許文献５】特表２０００−５０１２７５号公報
【特許文献６】特表平０８−５０６７０９号公報
【発明の概要】
【発明が解決しようとする課題】
【００１０】
特許文献１または２の遠隔地より電源制御および監視する方法は、利用者が監視をして電気機器を制御する必要がある。利用者が監視をして電気機器を制御するのは煩わしく、電力節減を忘れがちなので確実に電力節減を行うことができないという問題があった。
【００１１】
また、特許文献３の一酸化炭素検出連動型の電源制御装置においては、予め決められた一酸化炭素の濃度基準に従って電源を制御するだけであった。利用者が電気機器を使用する状況にあわせて電源を制御する基準を変更できないという問題があった。
【００１２】
たとえば、家電量販店のＴＶ売り場では、誰も見ていないのに、何十台ものＴＶ受像機が電源を入れられていて大音量でＴＶ番組を流しているような状況が沢山あると思われる。家電量販店におけるＴＶ受像器の宣伝稼働のような場合、家電量販店側の立場で考えれば、お客様が来店したときに、ＴＶがついていなかったら寂しく、景気の悪い店舗に見えるので、すべてのＴＶを通電しておく必要がある、という思考になると思われる。しかし、通常は、平日の午前中には来客が少ないので、１台おきにＴＶがついている状態でもよく、平日でも昼休み中はすべて通電させ、あるいは、休日は朝から来客が多いので朝から通電させる、などの工夫をすれば、無駄な電力消費が少しでも減る。家電量販店の中には日本全国に数百店をもつ量販店も多数ある。それらのすべての量販店で上記のような工夫をすれば、個々のＴＶ受像機ごとでは大した量の節電にはならなくても、その積算効果はかなりのものであると期待できる。
【００１３】
ところが、量販店の経営者あるいは店長が、想定する来客の数に合わせて電気機器を稼働させようと思って店員に指示をしたとしても、店員の立場でいえば、実際にこまめに電源スイッチを入れたり切ったりするのは面倒である。その結果、そのような指示がいきわたらないことになってしまう。
【００１４】
本発明は上述の事情に鑑みてなされたもので、一箇所で電力を供給するルールを指示すると、そのルールを一斉に多地点に行き渡らせ、そのルールに従って電力供給の操作を自動的に行う装置を提供することを目的とする。
【課題を解決するための手段】
【００１５】
本発明の第１の観点に係る電力制御装置は、
電力線に接続して、電力を入力する入力部と、
電気機器を接続する１つ以上のコンセントと、
前記入力部と前記コンセントの間を接続し、前記コンセントごとに供給する電力をオンオフするスイッチと、
前記スイッチのオンオフを切り替える操作手段と、
現在日時を表す時刻データを取得する計時手段と、
コンセントのスイッチをオンにする時間を定める設定データを取得する入力手段と、
所定の時間ごとに、前記入力手段によって前記設定データを取得して、現在時刻が前記設定データに適合する場合にその設定データに対応する前記コンセントのスイッチをオンにし、適合しない場合にオフにする制御手段と、
を備えることを特徴とする。
【００１６】
本発明の第２の観点に係る電力制御方法は、
コンセントから電力を供給する時間を定める設定データを、所定の時間ごとに取得する入力ステップと、
現在日時を取得する計時ステップと、
前記現在日時が前記設定データに適合する場合に、その設定データに対応する前記コンセントに接続するスイッチをオンにし、適合しない場合にオフにする制御ステップと、
を備えることを特徴とする。
【発明の効果】
【００１７】
本発明によれば、電気機器を接続するコンセントごとに電力を供給する時間帯を設定して、用途や必要性に応じて、人手を介さずに自動的に電力供給制御を行うことができる。
【図面の簡単な説明】
【００１８】
【図１】本発明の実施の形態１に係る電力制御装置の構成例を示すブロック図である。
【図２】実施の形態１に係る設定データの構成例を示す図である。
【図３】実施の形態１に係る電力制御装置の動作の一例を示すフローチャートである。
【図４】本発明の実施の形態２に係る電力制御装置の構成例を示すブロック図である。
【図５】実施の形態２に係る電力制御装置の動作の一例を示すフローチャートである。
【図６】本発明を家電量販店で利用する場合の例を示す概念構成図である。
【発明を実施するための形態】
【００１９】
以下、この発明の実施の形態について図面を参照しながら詳細に説明する。なお、図中同一または相当部分には同一符号を付す。
【００２０】
（実施の形態１）
図１は、本発明の実施の形態１に係る電力制御装置１０の構成を示す図である。電力制御装置１０は、例えば壁面の電源コンセント（図示せず）と電気機器３０との間に介在する。例えば、商用電源からの電力を分配して供給するコンセントにプラグ１が接続し、電力供給を受ける電気機器３０とコンセント２が接続する。電気機器３０は、例えば、エアコン、照明器具、オーディオ装置、ＴＶ受像器など、およそ一般の電気機器が対象である。電力制御装置１０は、プラグ１、コンセント２、スイッチ３、リレー４、制御回路５、計時部６、タイマー７、データ記憶部８およびデータ入力部９を備える。
【００２１】
電気機器３０への電力の供給は、プラグ１と、スイッチ３と、コンセント２とを経由して、電気機器３０のプラグから行われる。スイッチ３は、制御回路５の指令によって作動するリレー４の操作により、電気機器３０への電力供給をオンオフする。
【００２２】
コンセント２は、プラグ１に対して並列に設けられる。スイッチ３は、コンセント２ごとに設けられる。リレー４は、スイッチ３ごとに設けられ、それぞれ対応するスイッチ３のオンオフを切り替える。リレー４は、制御回路５からのオンまたはオフにせよという指令によって、スイッチ３の開閉を行う。その結果、コンセント２ごとに、電力の供給のオンオフが切り替えられる。
【００２３】
制御回路５は、コンセント２のスイッチ３をオンにする時間を定める設定データをデータ記憶部８から読み込む。また、計時部６から現在の日時を表すデータを読み込む。そして、現在日時が設定データに適合していれば、その設定データに対応するリレー４（すなわちスイッチ３）をオンにする。現在日時が設定データに適合していなければ、その設定データに対応するリレー４（すなわちスイッチ３）をオフにする。
【００２４】
制御回路５は、データ記憶部８から設定データの内容を読み込んで、その記載内容を解釈実行する解釈実行プログラム（インタプリタ）で構成することができる。制御回路５は例えば、Visual BasicやJavaScriptなどのインタプリタ言語を用いて実現することができる。
【００２５】
計時部６は、現在の日時を表すデータを供給する。一般には、一定周期のパルスをカウントして、基準の時刻からの経過時間を計測する。計時部６は、カレンダ情報を備え、基準の時刻からの経過時間をカレンダ情報で、曜日を含む日時情報に変換する。
【００２６】
タイマー７は、一定周期のパルスを所定の数だけカウントして、起動してから所定の時間が経過したときにパルス信号を出力する。タイマー７に所定の値をセットして起動すると、一定の時間が経過したことを知ることができる。制御回路５は、タイマー７によって所定の時間が経過するごとに前述の動作を行う。タイマー７にセットする値は、データ記憶部８に記憶させておくことができる。
【００２７】
データ記憶部８は、コンセント２のスイッチ３をオンにする時間を定める設定データを記憶する。図２は、実施の形態１に係る設定データの構成例を示す。設定データは、例えば、リレー４を識別する符号であるリレーＩＤと、リレー４をオンにする日時である実行日および実行時間を含む。リレーＩＤは、電力制御装置１０に備わるリレー４のそれぞれを指す。例えば、図１のリレー４について、そのリレーＩＤを左から１、２、３とする。
【００２８】
図２の例では、リレーＩＤ＝１のリレー４は、毎日（月火水木金土日）、１０：００から２１：００までオンにすることが示されている。リレーＩＤ＝２は、１１月１７日だけ、１０：００から１０：１０までと、１４：００から１５：００までの時間にオンにすることが示されている。リレーＩＤ＝３は、毎日、１０：００〜１０：１０と、１２：００から２１：００までの時間にオンにすることが示されている。
【００２９】
設定データの表現は任意であって、図２のような形式の文字列であってもよいし、日付、曜日、休日などを表すコードと論理演算子の組合せなどで表現されてもよい。実行時間についても、時刻を表すコードと論理演算子の組合せなどで表現されてもよい。時間の単位も任意であって、１分を単位にする必要はなく、時や秒を単位にしてもよい。また、小数表現があってもよい。
【００３０】
データ入力部９は、リレー４ごとの（コンセント２ごとの）オンにする時間を指定する情報を入力して、データ記憶部８に記憶する。データ入力部９は、例えば、キースイッチと表示装置を備え、キースイッチの操作によってリレー４（コンセント２）の選択、オンにする日時の情報を入力する。
【００３１】
設定データは、他の記憶媒体、例えば、ＳＤメモリやＩＣカードなどで供給されてもよい。その場合、データ入力部９は、記憶媒体などからデータを読み取るインタフェースである。また、その記憶媒体がデータ記憶部８を構成してもよい。
【００３２】
データ記憶部８は、リレー４ごとに、その状態がオンかオフかの情報を記憶してもよい。その場合、制御回路５は、リレー４を操作したときに、その状態を表す情報をデータ記憶部８に記憶させる。
【００３３】
図３は、実施の形態１に係る電力制御装置の動作の一例を示すフローチャートである。制御回路５は、タイマー７を起動して（ステップＳ１０）、タイマー７がカウントアップするのを待機する（ステップＳ１１；ＮＯ）。タイマー７がカウントアップしたら（ステップＳ１１；ＹＥＳ）、計時部６から現在日時を読み込む（ステップＳ１２）。
【００３４】
制御回路５は、変数ｎを初期値に設定する（ステップＳ１３）。そして、ｎ番目の設定データをデータ記憶部８から読み込む（ステップＳ１４）。現在日時がその設定データの条件に適合していれば（ステップＳ１５；ＹＥＳ）、ｎ番目の設定データに対応するリレー４（すなわちスイッチ３）をオンにする。現在日時がその設定データの条件に適合していなければ（ステップＳ１５；ＮＯ）、ｎ番目の設定データに対応するリレー４（すなわちスイッチ３）をオフにする（ステップＳ１７）。このとき、同時にリレー４の状態をデータ記憶部８に記憶させてもよい。
【００３５】
図２の設定データの例で言えば、変数ｎが１でリレーＩＤ＝１のデータを読み込んだ場合、現在日時が１０：００から２１：００までの間であれば、リレーＩＤ＝１のリレー４をオンにする。現在日時が０：００〜１０：００、または、２１：００〜２４：００であれば、リレーＩＤ＝１のリレー４をオフにする。
【００３６】
制御回路５は、変数ｎをインクリメントして（ステップＳ１８）、次のデータ（ｎ番目のデータ）があれば（ステップＳ１９；ＹＥＳ）、ステップＳ１４に戻って、ｎ番目の設定データ読み込みから繰り返す。図２の例では、変数ｎが２でリレーＩＤ＝２のデータを読み込んだ場合、現在日時が１１月１７日の１０：００〜１０：１０、または、１４：００〜１５：００であれば、リレーＩＤ＝２のリレー４をオンにし、それ以外はオフにする。リレーＩＤ＝３についても同様の処理を行う。その結果、スイッチ３をオンにする時間が設定されている全てのコンセント２について、オンにするかオフにするかが判断されて、設定されたデータに従って、コンセント２からの電力供給が制御される。
【００３７】
次のデータがなければ（ステップＳ１９；ＮＯ）、ステップＳ１０に戻って、改めてタイマー起動から動作を繰り返す。タイマー起動を繰り返すごとに、現在日時が進んでいき、設定データに合わせて、コンセント２のスイッチ３が制御される。
【００３８】
以上説明したように、本実施の形態１の電力制御装置１０は、タイマーで起動される一定時間ごとに設定データを読み込み、現在日時が設定データに適合する場合に、その設定データに対応するスイッチ３をオンにする。その結果、設定データで指定される日時の間だけ、コンセント２から電気機器３０に電力が供給される。
【００３９】
（実施の形態２）
図４は、本発明の実施の形態２に係る電力制御装置の構成例を示すブロック図である。実施の形態２の電力制御装置１０は、実施の形態１の機能に加え、サーバ２０から通信ネットワークを経由して設定データを入力する。
【００４０】
図４の電力制御装置１０は、実施の形態１の構成のうち、データ記憶部８およびデータ入力部９に代えて、通信部１１を備える。通信部１１は、ネットワーク４０に接続する。また、サーバ２０がネットワーク４０に接続されている。電力制御装置１０のその他の構成は、実施の形態１と同様である。
【００４１】
サーバ２０は、通信部２１、データ記憶部２２およびデータ入力部２３を備える。通信部２１は、ネットワーク４０に接続してデータを送受信するインタフェースである。ネットワーク４０は、例えば無線ＬＡＮや有線ＬＡＮ、あるいは電力線通信などの手段を使ったネットワーク、またはZigbee（登録商標）のようなセンサーネット、あるいは携帯電話のネットワークなどを用いることができる。
【００４２】
データ記憶部２２は、実施の形態１のデータ記憶部８に相当する。サーバ２０は、複数の電力制御装置１０に接続しうるので、データ記憶部２２は、複数の電力制御装置１０の設定データを記憶する。データ記憶部２２は、電力制御装置１０ごとに、例えば図２に示すような構成の設定データを記憶する。
【００４３】
データ入力部２３は、実施の形態１のデータ入力部９に相当する。データ入力部２３は、例えば、キーボードなどの入力装置とＬＣＤなどの表示装置を備える。入力装置を用いて、電力制御装置１０およびそのコンセント２を選択し、そのコンセント２をオンにする日時の情報を入力することができる。
【００４４】
電力制御装置１０の通信部１１は、サーバ２０の通信部２１とネットワーク４０を介して通信し、その電力制御装置１０の設定データを受信する。通信部１１は、受信した設定データを一時的に保持するメモリを備える。
【００４５】
実施の形態２の電力制御装置１０において、プラグ１、コンセント２、スイッチ３およびリレー４の構成は、実施の形態１と同様である。また、制御回路５、計時部６およびタイマー７の動作は、実施の形態１と同様である。
【００４６】
図５は、実施の形態２に係る電力制御装置の動作の一例を示すフローチャートである。実施の形態２では、サーバから設定データを受信するステップが追加されている。
【００４７】
制御回路５は、タイマー７を起動して（ステップＳ２０）、タイマー７がカウントアップするのを待機する（ステップＳ２１；ＮＯ）。タイマー７がカウントアップしたら（ステップＳ２１；ＹＥＳ）、通信部１１を介して、サーバ２０からその電力制御装置１０について設定されたデータを受信する（ステップＳ２２）。受信した設定データは、通信部１１のメモリに保持される。
【００４８】
制御回路５は、計時部６から現在日時を読み込む（ステップＳ２３）。以降は、実施の形態１の動作と同様であって、ステップＳ２４からステップＳ３０の動作は、図３のステップＳ１３からステップＳ１９の動作にそれぞれ相当する。
【００４９】
図５のフローチャートでは、電力制御装置１０の設定データを一括して受信することを想定している。設定データをコンセント２ごとに受信する構成も可能である。その場合、ステップＳ２２でサーバからデータを受信するのに代えて、ステップＳ２５でｎ番目のデータをサーバから受信することになる。
【００５０】
以上説明したように、実施の形態２の電力制御装置１０によれば、実施の形態１に加えて、複数の電力制御装置１０を平行して作動させることができる。そして、複数の電力制御装置１０の設定データを１カ所でまとめて設定または変更することができる。
【００５１】
図６は、本発明を家電量販店で利用する場合の例を示す概念構成図である。図６の例では、３台の電力制御装置１０がネットワーク４０に接続されている。そして、１台のサーバ２０で複数の電力制御装置１０の設定データを保持していることが示されている。図６では、電気機器３０はＴＶ受像器である。電源がオンのＴＶ受像器にはハッチングを付して表されている。コンセント２のオン・オフ状態に合わせて、電気機器３０（ＴＶ受像器）の電源がオンまたはオフになっている。
【００５２】
図６は、ある瞬間の状態を表示している。ここではたまたま３台の電力制御装置１０は同じ状態になっているが、それぞれ異なる状態になりうる。電力制御装置１０は異なる数のコンセントを備えるかもしれない。また、同じ種類の電気機器３０に限らず、異なる種類の電気機器３０が混在することもありうる。
【００５３】
本発明の好適な変形として、以下の構成が含まれる。
【００５４】
本発明の第１の観点に係る電力制御装置について、
好ましくは、ネットワークを経由してサーバからデータを受信する通信手段を備え、
前記入力手段はサーバから通信手段を介して設定データを取得する
ことを特徴とする。
【００５５】
好ましくは、前記設定データを入力するデータ入力部と、
前記設定データを記憶するデータ記憶部と、を備え、
前記制御手段は、所定の時間ごとに前記データ記憶部から前記設定データを取得する、
ことを特徴とする。
【００５６】
その他、前記のハードウェア構成やフローチャートは一例であり、任意に変更および修正が可能である。例えば、電源はＡＣ１００Ｖに限らず、ＡＣ２００Ｖまたは任意の電圧、あるいは直流電源などにも本発明を適用することができる。電力制御装置１０は、壁面などに埋め込むタイプのコンセントとして構成することもできる。その場合、プラグ１に代えて電力線に接続する端子台を設ける。端子台は、電力を入力する入力部に相当する。
【００５７】
制御回路５、計時部６、タイマー７およびデータ記憶部８などの、電力供給を制御する主要な部分は、布線論理回路で構成することができる。それらの回路は、集積回路としてワンチップで形成することができる。また、プログラマブルな回路を用いて構成することもできる。さらに、専用のハードウェアに限らず、汎用のマイクロコンピュータなどを用いて構成することも可能である。なお、サーバ２０は、汎用のコンピュータを用いて構成することができる。
【符号の説明】
【００５８】
１  プラグ
２  コンセント
３  スイッチ
４  リレー
５  制御回路
６  計時部
７  タイマー
８  データ記憶部
９  データ入力部
１０  電力制御装置
１１  通信部
２０  サーバ
２１  通信部
２２  データ記憶部
２３  データ入力部
３０  電気機器
４０  ネットワーク
【図１】
2010166175.tif 000003
【図２】
2010166175.tif 000004
【図３】
2010166175.tif 000005
【図４】
2010166175.tif 000006
【図５】
2010166175.tif 000007
【図６】
2010166175.tif 000008